(57)【要約】      （修正有）【課題】裏返すことなく展示物を交換できる額縁を提供する。【解決手段】額縁は、対向する表枠体２と裏支持体３とを備え、表枠体２と裏支持体３とで展示物Ｔを含む被挟持体４を挟み込んで保持する。表枠体２及び裏支持体３の対向部において、裏支持体３に磁石６が設けられ、磁石６が設けられた位置に対向して、磁石６が吸着可能な吸着手段５が表枠体２に設けられていて、これらによって表枠体２と裏支持体３とが脱着可能に吸着される。【選択図】図３
0003220220.tif 000002
【実用新案登録請求の範囲】
【請求項１】
パネル状の被挟持体の外周縁部が、表枠体と裏支持体とで挟み込まれて保持される額縁であって、
前記表枠体と前記裏支持体とが対向する対向部において、該表枠体及び該裏支持体の少なくとも一方に磁石が設けられ、
前記磁石が設けられた位置に対向して、他方に該磁石が吸着可能な吸着手段が設けられ、
前記表枠体と前記裏支持体とが脱着可能に吸着されることを特徴とする額縁。
【請求項２】
前記表枠体は、裏方向に突出して設けられた第１係合突出部を備え、
前記裏支持体は、表方向に突出して設けられた第２係合突出部を備えるとともに、
前記表枠体は、前記第２係合突出部と係合可能な第１被係合部を備え、
前記裏支持体は、前記第１係合突出部と係合可能な第２被係合部を備えることを特徴とする請求項１に記載の額縁。
【請求項３】
前記第１係合突出部及び前記第２係合突出部の少なくともいずれか一方が、前記表枠体または前記裏支持体の外周を囲むように壁状に設けられていることを特徴とする請求項１または請求項２に記載の額縁。
【請求項４】
前記裏支持体は、外周に枠状のフレーム部を備え、
前記フレーム部の周方向内側の側壁部に、前記額縁を吊り掛けする際に紐体を通すための吊り具が設けられていることを特徴とする請求項１から請求項３のいずれか一つに記載の額縁。
【考案の詳細な説明】
【技術分野】
【０００１】
本考案は、書画等を展示するための額縁に関するものである。
【背景技術】
【０００２】
従来より、書画、絵画、写真等の展示物を壁面等に展示するために、これらを収容する額縁として、例えば、展示物の周囲を中央が開口したフレーム体で保持し、展示物の裏面を裏板で保持した状態で、フレーム体と裏板とを裏側に設けられた留め金具で係止することで、展示物を収容する構成がよく知られている。そして、このような構成からなる額縁においては、収容された展示物を交換するための手段として、一般的に、例えば、展示物が収容された額縁の表側が下になるよう台等に裏返して置き、裏側の留め金具を解除した後で裏板を外して、展示物を裏返しの状態で出し入れする方法がよく用いられている（特許文献１）。
【先行技術文献】
【特許文献】
【０００３】
【特許文献１】登録実用新案第３２１８２４９号公報
【考案の概要】
【考案が解決しようとする課題】
【０００４】
しかし、上記従来の特許文献１のものでは、展示物を入れる際に、裏返した状態で額縁に収容する必要があるため、表側となる意匠面を視認しながら入れることができない。そうすると、展示物を入れて裏側の留め金具を係止した後で額縁の表側が上になるよう返したときに、展示物の意匠面に描かれた画等が意図した位置に配置されていなかったり、意匠面の装飾等が折れ曲がっていたりするという問題があった。その場合、再度裏返しにして作業を繰り返す必要が生じ、手間がかかることとなる。
【０００５】
本考案は斯かる点に鑑みてなされたものであり、その目的とするところは、裏返すことなく展示物を交換できる額縁とすることにある。
【課題を解決するための手段】
【０００６】
上記の目的を達成するために、この考案では、額縁の表枠体を、表側から脱着できるようにした。
【０００７】
具体的には、第１の考案では、パネル状の被挟持体の外周縁部が、表枠体と裏支持体とで挟み込まれて保持される額縁であって、前記表枠体と前記裏支持体とが対向する対向部において、該表枠体及び該裏支持体の少なくとも一方に磁石が設けられ、前記磁石が設けられた位置に対向して、他方に該磁石が吸着可能な吸着手段が設けられ、前記表枠体と前記裏支持体とが脱着可能に吸着される。
【０００８】
この第１の考案では、表枠体及び裏支持体の対向部に、磁石及び吸着手段が設けられているので、これらを対向するように合わせることで吸着させることができ、表枠体を表側から脱着することができる。よって、額縁を裏返すことなく展示物を交換することができる。
【０００９】
第２の考案では、第１の考案において、前記表枠体は、裏方向に突出して設けられた第１係合突出部を備え、前記裏支持体は、表方向に突出して設けられた第２係合突出部を備えるとともに、前記表枠体は、第２係合突出部と係合可能な第１被係合部を備え、前記裏支持体は、第１係合突出部と係合可能な第２被係合部を備える。
【００１０】
この第２の考案では、表枠体と裏支持体とが表裏方向に係合可能となっているので、表裏方向と直交する方向において、吸着した表枠体と裏支持体とのずれを防止できる。
【００１１】
第３の考案では、第１又は第２の考案において、前記第１係合突出部及び前記第２係合突出部の少なくともいずれか一方が、前記表枠体または前記裏支持体の外周を囲むように壁状に設けられている。
【００１２】
この第３の考案では、表枠体または裏支持体の外周を囲むように、表枠体の第１係合突出部及び裏支持体の第２係合突出部の少なくともいずれか一方が壁状に設けられているので、表裏方向と直交する方向において、吸着した表枠体と裏支持体とのずれをより確実に防止できる。
【００１３】
第４の考案では、第１から第３の考案のいずれか１つにおいて、前記裏支持体は、外周に枠状のフレーム部を備え、前記フレーム部の周方向内側の側壁部に、前記額縁を吊り掛けする際に紐体を通すための吊り具が設けられている。
【００１４】
この第４の考案では、吊り具がフレーム部の周方向内側の側壁部に設けられているため、裏面に設けられている場合と比較して破損しにくく、平置きした場合や複数の額縁を重ねた場合等においても障害となりにくい。
【考案の効果】
【００１５】
以上説明したように、本考案によると、額縁を裏返すことなく展示物を交換することができる。
【図面の簡単な説明】
【００１６】
【図１】図１は、本考案の実施形態に係る額縁の概略斜視図である。
【図２】図２は、本考案の実施形態に係る額縁の裏支持体の平面図である。
【図３】図３は、図１のＩＩＩ−ＩＩＩ線断面斜視図である。
【考案を実施するための形態】
【００１７】
以下、本考案の実施形態を図面に基づいて詳細に説明する。以下の好ましい実施形態の説明は、本質的に例示に過ぎず、本考案、その適用物或いはその用途を制限することを意図するものでは全くない。また、以下の説明においては、表側を上に、裏側を下にして見た場合を基準として、高低を説明するものとする。
【００１８】
図１及び図３に示すように、額縁１は、矩形状の表枠体２と、表枠体２と外周寸をほぼ同じくする矩形状の裏支持体３とを備えている。表枠体２と裏支持体３とは表裏方向に対向し、表枠体２と裏支持体３との間に、被挟持体４の外周縁部が挟み込まれて保持されている。
【００１９】
被挟持体４は、例えば、書画等からなる展示物Ｔと、透明のアクリル材等からなり展示物Ｔの表側に重ねられて展示物Ｔの意匠面を保護する透明板４１と、薄板状のベニヤ板材等からなり展示物Ｔの裏側に重ねられて展示物Ｔの裏面を支持する裏板４２とを備える。
【００２０】
図１に示すように、表枠体２は、例えば、４本の表枠材２１がフレーム状に一体的に接続されてなり、それらで囲まれた領域に展示物Ｔの意匠面が表示される。
【００２１】
図３に示すように、４本の表枠材２１はそれぞれ、幅方向の断面が略Ｌ字状となっている。具体的には、表枠材２１は、その内周縁に沿って設けられた第１被係合部２２と、第１被係合部２２に続いて外周縁に沿って設けられた第１係合突出部２３とを一体的に備える。
【００２２】
第１被係合部２２は、被挟持体４の周囲を表側から覆うように設けられ、これにより被挟持体４の表方向への動きが規制される。
【００２３】
第１係合突出部２３は、第１被係合部２２の外周側から裏方向に突出して、表枠体２の外周を囲むように壁状に立て設けられている。すなわち、表枠材２１は、幅方向において、略内周側半分が第１被係合部２２で、略外周側半分が第１係合突出部２３となっている。また、第１係合突出部２３は、裏支持体３との対向部となる平坦な第１対向面２３ａを備える。そして、この第１対向面２３ａに、例えば磁石等からなる吸着手段５が埋め込まれている。
【００２４】
吸着手段５は例えば、表枠材２１のうち、長辺側の２本にそれぞれ、等間隔で２つずつ設けられ、短辺側の２本それぞれの中間部分に１つずつ設けられ、すなわち計６つ埋設されている。６つの吸着手段５は、図１に示す吸着状態においては、いずれも外表面には露出しないように埋設されている。
【００２５】
詳細は後述するが、この吸着手段５と裏支持体３の磁石６（後述）が吸着するとともに、第１係合突出部２２と裏支持体３の第２被係合部（後述）、裏支持体３の第２係合突出部３３（後述）と第１被係合部２２とがそれぞれ係合するようになっている。
【００２６】
図１〜図３に示すように、裏支持体３は、外周に枠状のフレーム部３１を備える。フレーム部３１は、例えば、４本の裏枠材３２がフレーム状に一体的に接続されてなる。
【００２７】
図３に示すように、４本の裏枠材３２はそれぞれ、幅方向の断面が略凸状に形成されている。裏枠材３２の幅方向中間部分には、表方向に向かって第２係合突出部３３が立て設けられている。第２係合突出部３３は、４本の裏枠材３２それぞれの長さ方向に沿って、周方向に連続して壁状に設けられている。
【００２８】
第２係合突出部３３の内周側に続いて、第２係合突出部３３よりも段状に低く形成された載置部３４を備える。載置部３４は表側が平坦に形成され、第２係合突出部３３の内周に沿って周方向に連続して設けられている。載置部３４の内寸は、被挟持体４の外寸よりも小さくなっており、この載置部３４に被挟持体４の周囲が載置されて、被挟持体４の裏方向への動きが規制される。また、載置部３４に載せ置かれた被挟持体４の厚みは、第２係合突出部３３の内周壁３３ａの高さＨ１内に収まるようになっている。よって、展示物Ｔを交換する際に、表枠体２を裏支持体３から分離した場合であっても、第２係合突出部３３がストッパーとなり、被挟持体４が不用意にずれたりすることを防止できる。
【００２９】
第２係合突出部３３の外周側に続いて、第２係合突出部３３よりも段状に低く形成された第２被係合部３５を備える。第２被係合部３５は、第２係合突出部３３の外周に沿って周方向に連続して設けられている。第２被係合部３５の幅及び上述した第１係合突出部２３の幅は、ほぼ同じとなっているため、それらが対向して係合した状態の額縁１の外周側面において、表枠体２と裏支持体３とで段差が生じることなく、意匠性に優れる。
【００３０】
載置部３４及び第２係合突出部３３の段差と、第２被係合部３５及び第２係合突出部３３の段差とは、前者の方が大きくなっている。すなわち、載置部３４との境界となる第２係合突出部３３の内周壁３３ａの高さＨ１と、第２被係合部３５との境界となる第２係合突出部３３の外周壁３３ｂの高さＨ２は、Ｈ１＞Ｈ２となっている。
【００３１】
このように、第２係合突出部３３の内周側及び外周側に設けられた段差を異にすることで、段差を同じくする場合と比較して、第２係合突出部３３が補強され、破損しにくくなっている。特に、本実施形態においては、第２係合突出部３３の外周側に位置する第２被係合部３５の高さが、第２係合突出部３３の内周側に位置する載置部３４の高さより高くなっているので、内周側から外周方向に加わる力に対して補強されている。
【００３２】
第２被係合部３５は、表枠体２との対向部となる平坦な第２対向面３５ａを備え、第２対向面３５ａに、例えば磁石６等が複数埋め込まれている。複数の磁石６はそれぞれ、上述した表枠体２に埋設された吸着手段５に対向する位置に設けられている。具体的には例えば、裏枠材３２のうち、長辺側の２本にそれぞれ、等間隔で２つずつ設けられ、短辺側の２本それぞれの中間部分に１つずつ設けられ、すなわち計６つ設けられている。
【００３３】
このように、表枠体２及び裏支持体３の対向する位置に吸着手段５及び磁石６が設けられていることによって、表枠体２と裏支持体３とが吸着する。表枠体２と裏支持体３とが吸着した図１に示す状態において、吸着手段５及び磁石６はそれぞれ、外表面に露出しないよう埋設されている。よって、額縁１の外観を損ねることなく、表枠体２と裏支持体３とを吸着することができる。また、露出していないため破損しにくい。さらに、表枠体２及び裏支持体３を合わせるだけで吸着させることができるとともに、分離させる際は裏支持体３から離れる方向に表枠体２を動かせばよいので、脱着が容易である。
【００３４】
図２及び図３に示すように、額縁１を壁面等に吊り掛けする際に紐体（図示省略）を通すための吊り具７が、額縁１の裏側面１ａ（フレーム部３１の裏壁面３１ａ）よりも裏方向に飛び出さないように、フレーム部３１（裏枠材３２）の周方向内側の側壁部３１ｂに設けられている。吊り具７は、額縁１を横長あるいは縦長に吊り掛けすることができるように、フレーム部３１の四方の側壁部３１ｂに、１つずつ設けられている。
【００３５】
ところで、通常、額縁を壁面等に吊り掛けする場合は、額縁の裏側面に紐体（図示省略）を通すため吊り具等を設けることがよく行われる。この場合、額縁が壁面等に平行となるように接着あるいはボルト固定しようとすると、裏側面の吊り具が邪魔となり困難である。そうしたところ、本考案の額縁１によると、吊り具７がフレーム部３１の側壁部３１ｂに設けられていて裏側面１ａから飛び出していないため、吊り具７が障害とならず、壁面等に接着したり、ボルト固定したりして壁面等に平行に取り付けることができる。
【００３６】
次に、額縁１に収容された展示物Ｔを交換する際の作業について説明する。
【００３７】
まず、表枠体２を上側（表側）、裏支持体３を下側（裏側）にしてテーブル等の台の上に置いてから、表枠体２を、吸着した裏支持体３から分離させる。このとき、表枠体２と裏支持体３とはその対向部に設けられた吸着部材５及び磁石６で吸着されているので、裏返したり金具を外したり、といった作業は必要なく、表側から表枠体２を、裏支持体３から離すように動かすだけで取り外すことができる。
【００３８】
ここで、被挟持体４の厚みは、裏支持体３の第２係合突出部３３の内周壁３３ａの高さＨ１内に収まるようになっているため、表枠体２が取り外されても被挟持体４の外周側に位置する第２係合突出部３３が、被挟持体４の外周方向への動きを規制するストッパーとなり、透明板４１や展示物Ｔが不用意にずれたりすることを防ぐことができる。
【００３９】
そして、透明板４１を外して、収容された展示物Ｔを取り出し、新たな展示物Ｔを表向きのままで裏板４２に乗せ置く。展示物Ｔを入れた後で透明板４１を上に重ね、表枠体２を表側から被せると、表枠体２に設けられた吸着手段５と裏支持体３に設けられた磁石６によって、表枠体２と裏支持体３とが吸着する。
【００４０】
このように、表枠体２及び裏支持体３の対向部に吸着手段５及び磁石６を設けたことで、額縁１を裏返すことなく、表側から表枠体２と裏支持体３とを吸着または分離させることができるので、収容された展示物Ｔの交換が容易となる。また、展示物Ｔを裏返すことなく意匠面を視認しながら交換作業ができるので、展示物Ｔの破損防止や傷付き防止にも有用である。また、吸着手段５及び磁石６は、表枠体２及び裏支持体３の対向部にそれぞれ埋設されているため、吸着した状態において外表面に露出することなく、額縁１の外観を損ねることがない。
【００４１】
そして、額縁１の表側から展示物Ｔの交換作業が可能であるため、壁面等に額縁１をボルト等で固定した場合においても、一旦壁面等から剥がしたり、固定を解除したりする必要がなく、例えば、壁面等に固定されたままの状態であっても、展示物Ｔの交換をすることができる。
【００４２】
また、額縁１の裏側面１ａに障害となる部材がないため、額縁１を台等に平置きして、展示物Ｔを展示したり交換したりする場合に、台等に対してフラットに置くことができるので安定する。また、梱包や運搬等に際しても、複数枚の額縁１をフラットに重ねることができ、コンパクト化を図ることができる。
【００４３】
さらに、表枠体２の第１係合突出部２２と第１被係合部２３とで幅方向断面が略Ｌ字状になるように形成されていて、かつ、裏支持体３の第２係合突出部３３と第２被係合部３５とで幅方向断面が略Ｌ字状になるように形成されている。そして、第１係合突出部２２が第２被係合部３５に、第２係合突出部３３が第１被係合部２３にそれぞれ対向して組み合わさるように係合しているため、表裏方向と直交する方向、すなわち、額縁１を壁面等に吊り掛けした状態を基準とした上下左右方向において、表枠体２と裏支持体３とのずれをより確実に防ぐことができる。
【００４４】
また、額縁１の側面視では、表枠体２と裏支持体３との比率が表裏方向においてほぼ半々に構成されているので、表枠体２と裏支持体３とで色やデザインを変えて、組み合わせを楽しむことができる。例えば、裏支持体３をベース色として、収容する展示物Ｔのデザイン、配色、大きさ等に応じて、裏支持体３とは別の色の表枠体２を組み合わせることも可能である。
【００４５】
（その他の実施形態）
上記実施形態では、被挟持体４は、展示物Ｔ、透明板４１及び裏板４２を備えるものとして説明したが、これに限られるものではない。例えば、透明板４１や裏板４２を設けなくてもよいし、複数枚設けてもよい。また、展示物Ｔは、例えば紙等の薄いものとして説明したが、立体物でもよい。
【００４６】
また、例えば、表枠体２の開口に対して小さい展示物を収容する際において、被挟持体に表枠体２の開口よりも一回り小さい開口を形成する別の枠体を含ませて、その小さい方の開口から展示物Ｔが表示されるようにしてもよい。また、裏板４２の表側の面に化粧等を施し、その化粧面が表側から見えるようにしてもよい。
【００４７】
また、上記実施形態では、展示物Ｔを交換する際にテーブル等の台に置いてから、と説明したが、このような手順に限られるものではない。例えば、壁面固定された場合等においては、そのままの状態で展示物Ｔの交換作業を行うことも可能である。
【００４８】
また、上記実施形態では、裏支持体３に磁石６を設け、表枠体２に吸着手段５を設けるようにしたが、これに限られるものではない。例えば、表枠体２に磁石を設けて、裏支持体３に吸着手段を設けるようにしてもよい。また、吸着手段５及び磁石６は６つずつ設けるようにしたが、位置や数はこれに限られるものではなく、額縁１のサイズや重量に応じて、適宜調整すればよい。
【００４９】
また、上記実施形態では、吸着手段５として磁石を挙げて説明したが、これに限られるものではない。表枠体２または裏支持体３のいずれかに設けられた磁石に吸着可能であればよく、例えば、鉄系等の金属製の釘等を打ち込んで吸着手段として用いることも可能である。
【００５０】
また、吊り具７は、省略することも可能である。また、額縁１の展示手段は吊り掛けに限られず、裏板４２にスタンドを設けて立てて用いてもよい。
【００５１】
また、額縁１の壁面等への固定手段については、例えば、磁石等をフレーム部３１の裏壁面３１ａに埋め込んで、磁石等を吸着できる金属製の壁面等に吸着させるようにしてもよい。
【００５２】
また、上記実施形態においては、裏支持体３を４本の裏枠材３２で構成されるものとして説明したが、これに限られるものではなく、例えば、裏枠材と裏板とが一体的に形成された構成でもよい。
【符号の説明】
【００５３】
１        額縁
２        表枠体
２１      表枠材
２２      第１被係合部
２３      第１係合突出部
２３ａ    第１対向面
３        裏支持体
３１      フレーム部
３１ａ    裏壁面
３１ｂ    側壁部
３２      裏枠材
３３      第２係合突出部
３３ａ    内周壁
３３ｂ    外周壁
３４      載置部
３５      第２被係合部
３５ａ    第２対向面
４        被挟持体
４１      透明板
４２      裏板
Ｔ         展示物
５         吸着手段
６         磁石
７         吊り具
【図１】
0003220220.tif 000003
【図２】
0003220220.tif 000004
【図３】
0003220220.tif 000005